【手続補正書】
【提出日】平成28年2月26日(2016.2.26)
【手続補正１】
【補正対象書類名】特許請求の範囲
【補正対象項目名】全文
【補正方法】変更
【補正の内容】
【特許請求の範囲】
【請求項１】
コンピュータにおいて資産割当てオプションを無線デバイスユーザに提供するための方法において、
前記コンピュータが、１つ以上の無線デバイス資産の割当てに参加するための割当てオプションを複数の無線デバイスに提供すること、前記割当てオプションは、前記１つ以上の無線デバイス資産のうちの少なくとも１つの無線デバイス資産の割当てへの前置きとして、前記複数の無線デバイスの無線デバイスユーザに、１つ以上の条件の識別を可能にし、前記１つ以上の条件のうちの少なくとも１つは、前記１つ以上の無線デバイス資産の少なくとも１つが割当てられ得る地理的区域を定義し、前記複数の無線デバイスは無線加入者デバイスに対応し、
前記コンピュータが、前記複数の無線デバイスの中の所与の無線デバイスから、前記無線デバイスユーザにより識別された割り当てられるべき少なくとも１つの無線デバイス資産の識別と前記無線デバイスユーザにより識別された１つ以上の条件とを含む割当てオプションの受入れを受信すること、
前記コンピュータが、競売での少なくとも１つの入札制約として動作する少なくとも１つの条件に基づいて、前記少なくとも１つの無線デバイス資産の競売を実行して、少なくとも１つの勝者を決定すること、
前記コンピュータが、前記無線デバイスユーザにより識別された１つ以上の条件に基づいて、前記無線デバイスユーザにより識別された割り当てられるべき少なくとも１つの無線デバイス資産を、前記決定された少なくとも１つの勝者に割り当てることを含む方法。
【請求項２】
前記１つ以上の条件は、コンテンツのタイプ、無線デバイス資産の割当ての期間、無線デバイス資産の割当てのロケーション、または、これらの組み合わせを含む請求項１記載の方法。
【請求項３】
前記コンピュータが、予め定められたレートに基づいて前記無線デバイスユーザに対して報酬を提供する報酬スキームを開始することをさらに含む請求項１記載の方法。
【請求項４】
前記予め定められたレートは、前記割り当てられた無線デバイス資産のうちの１つ以上に関する１つ以上の勝者入札に比例するレートである請求項３記載の方法。
【請求項５】
前記予め定められたレートは、前記無線デバイスユーザにより識別された条件の数に比例するレートである請求項３記載の方法。
【請求項６】
前記少なくとも１つの無線デバイス資産は、少なくとも１つの無線デバイスに格納されるように構成された、前記少なくとも１つの無線デバイスによって提示されるように構成された、または、その組み合わせのように構成されたメディアコンテンツに関連付けられている請求項１記載の方法。
【請求項７】
前記少なくとも１つの無線デバイス資産は、（ｉ）前記少なくとも１つの無線デバイスによって表示されるように構成されたディスプレイ壁紙、（ｉｉ）前記少なくとも１つの無線デバイスによって再生されるように構成されたオーディオ、ビジュアルおよび／またはマルチメディアリングトーン、（ｉｉｉ）前記少なくとも１つの無線デバイスによって実行されるように構成されたメディアコンテンツ関連アプリケーション、（ｉｖ）（ｉ）〜（ｉｉｉ）の組み合わせを含む請求項１記載の方法。
【請求項８】
前記少なくとも１つの無線デバイス資産は、置換されるメディアコンテンツに関連付けられている請求項１記載の方法。
【請求項９】
前記少なくとも１つの無線デバイス資産は、前記置換されるメディアコンテンツに基づいて前記少なくとも１つの無線デバイスにおいてさらにメモリが利用可能なように、前記少なくとも１つの無線デバイスのメモリ使用を含む請求項８記載の方法。
【請求項１０】
前記コンピュータが、前記資産の割当てオプションの受入れをメモリに格納することをさらに含む請求項１記載の方法。
【請求項１１】
非一時的コンピュータ可読媒体に格納され、資産割り当てオプションを無線デバイスユーザに提供するための複数のモジュールを実行するように構成された少なくとも１つのプロセッサにおいて、
前記複数のモジュールは、１つ以上の無線デバイス資産の割当てに参加するための割当てオプションを複数の無線デバイスに提供するための第１のモジュールと、前記割当てオプションは、前記１つ以上の無線デバイス資産のうちの少なくとも１つの無線デバイス資産の割当てへの前置きとして、前記複数の無線デバイスの無線デバイスユーザに、１つ以上の条件の識別を可能にし、前記１つ以上の条件のうちの少なくとも１つは、前記１つ以上の無線デバイス資産の少なくとも１つが割当てられ得る地理的区域を定義し、前記複数の無線デバイスは無線加入者デバイスに対応し、
前記複数の無線デバイスの中の所与の無線デバイスから、前記無線デバイスユーザにより識別された割り当てられるべき少なくとも１つの無線デバイス資産の識別と前記無線デバイスユーザにより識別された１つ以上の条件とを含む割当てオプションの受入れを受信するための第２のモジュールと、
競売での少なくとも１つの入札制約として動作する少なくとも１つの条件に基づいて、前記少なくとも１つの無線デバイス資産の競売を実行して、少なくとも１つの勝者を決定するための第３のモジュールと、
前記無線デバイスユーザにより識別された１つ以上の条件に基づいて、前記無線デバイスユーザにより識別された割り当てられるべき少なくとも１つの無線デバイス資産を、前記決定された少なくとも１つの勝者に割り当てるための第４のモジュールとを備え、
前記第１ないし第４のモジュールの少なくとも１つは、ハードウェアモジュール、または、ソフトウェアおよびハードウェアモジュールの組み合わせに対応するプロセッサ。
【請求項１２】
命令を含む非一時的コンピュータ可読媒体において、
前記命令は前記非一時的コンピュータ可読媒体に記憶され、コンピュータによって実行された場合に、前記コンピュータに処理を行なわせ、前記命令は、
１つ以上の無線デバイス資産の割当てに参加するための割当てオプションを複数の無線デバイスに対して前記コンピュータに提供させるための少なくとも１つの命令と、前記割当てオプションは、前記１つ以上の無線デバイス資産のうちの少なくとも１つの無線デバイス資産の割当てへの前置きとして、前記複数の無線デバイスの無線デバイスユーザに、１つ以上の条件の識別を可能にし、前記１つ以上の条件のうちの少なくとも１つは、前記１つ以上の無線デバイス資産の少なくとも１つが割当てられ得る地理的区域を定義し、前記複数の無線デバイスは無線加入者デバイスに対応し、
前記複数の無線デバイスの中の所与の無線デバイスから、前記無線デバイスユーザにより識別された割り当てられるべき少なくとも１つの無線デバイス資産の識別と前記無線デバイスユーザにより識別された１つ以上の条件とを含む割当てオプションの受入れを前記コンピュータに受信させるための少なくとも１つの命令と、
競売での少なくとも１つの入札制約として動作する少なくとも１つの条件に基づいて、前記少なくとも１つの無線デバイス資産の競売を前記コンピュータに実行させて、少なくとも１つの勝者を決定させるための少なくとも１つの命令と、
前記無線デバイスユーザにより識別された１つ以上の条件に基づいて、前記無線デバイスユーザにより識別された割り当てられるべき少なくとも１つの無線デバイス資産を、前記決定された少なくとも１つの勝者に対して前記コンピュータに割り当てさせるための少なくとも１つの命令とを含むコンピュータ可読媒体。
【請求項１３】
資産割当てオプションを無線デバイスユーザに提供する装置において、
１つ以上の無線デバイス資産の割当てに参加するための割当てオプションを複数の無線デバイスに提供する手段と、前記割当てオプションは、前記１つ以上の無線デバイス資産のうちの少なくとも１つの無線デバイス資産の割当てへの前置きとして、前記複数の無線デバイスの無線デバイスユーザに、１つ以上の条件の識別を可能にし、前記１つ以上の条件のうちの少なくとも１つは、前記１つ以上の無線デバイス資産の少なくとも１つが割当てられ得る地理的区域を定義し、前記複数の無線デバイスは無線加入者デバイスに対応し、
前記複数の無線デバイスの中の所与の無線デバイスから、前記無線デバイスユーザにより識別された割り当てられるべき少なくとも１つの無線デバイス資産の識別と前記無線デバイスユーザにより識別された１つ以上の条件とを含む割当てオプションの受入れを受信する手段と、
競売での少なくとも１つの入札制約として動作する少なくとも１つの条件に基づいて、前記少なくとも１つの無線デバイス資産の競売を実行して、少なくとも１つの勝者を決定する手段と、
前記無線デバイスユーザにより識別された１つ以上の条件に基づいて、前記無線デバイスユーザにより識別された割り当てられるべき少なくとも１つの無線デバイス資産を、前記決定された少なくとも１つの勝者に割り当てる手段とを具備する装置。
【請求項１４】
資産割当てオプションを無線デバイスユーザに提供するためのネットワークデバイスにおいて、
少なくとも１つのプロセッサと、メモリとを含むコンピュータプラットフォームと、
前記メモリの中に格納され、前記少なくとも１つのプロセッサによって実行可能な資産割当てオプションモジュールと資産競売モジュールとを具備し、
前記資産割当てオプションモジュールは、
１つ以上の無線デバイス資産の割当てに参加するための割当てオプションを複数の無線デバイスに提供するように動作可能な割当てオプションプロバイダと、前記割当てオプションは、前記１つ以上の無線デバイス資産のうちの少なくとも１つの無線デバイス資産の割当てへの前置きとして、前記複数の無線デバイスの無線デバイスユーザに、１つ以上の条件の識別を可能にし、前記１つ以上の条件のうちの少なくとも１つは、前記１つ以上の無線デバイス資産の少なくとも１つが割当てられ得る地理的区域を定義し、前記複数の無線デバイスは無線加入者デバイスに対応し、
前記複数の無線デバイスの中の所与の無線デバイスから、前記無線デバイスユーザにより識別された割り当てられるべき少なくとも１つの無線デバイス資産の識別と前記無線デバイスユーザにより識別された１つ以上の条件とを含む割当てオプションの受入れを受信するように動作可能なオプション受入れレシーバとを備え、
前記資産競売モジュールは、競売での少なくとも１つの入札制約として動作する少なくとも１つの条件に基づいて、前記少なくとも１つの無線デバイス資産の競売を実行して、少なくとも１つの勝者を決定し、
前記資産割当てオプションモジュールは、さらに、前記無線デバイスユーザにより識別された１つ以上の条件に基づいて、前記無線デバイスユーザにより識別された割り当てられるべき少なくとも１つの無線デバイス資産を、前記決定された少なくとも１つの勝者に割り当てるネットワークデバイス。
【請求項１５】
前記１つ以上の条件は、コンテンツのタイプ、無線デバイス資産の割当ての期間、および／または、無線デバイス資産の割当てのロケーションを含む請求項１４記載のネットワークデバイス。
【請求項１６】
前記資産割当てオプションモジュールは、前記割り当てられた無線デバイス資産のうちの１つ以上に関する１つ以上の勝者入札に比例するレートに基づいて前記無線デバイスユーザに対して報酬を提供する報酬スキームを開始するように動作可能である報酬イニシエータをさらに備える請求項１４記載のネットワークデバイス。
【請求項１７】
前記資産割当てオプションモジュールは、前記無線デバイスユーザにより識別された条件の数に比例するレートに基づいて前記無線デバイスユーザに対して報酬を提供する報酬スキームを開始するように動作可能である報酬イニシエータをさらに備える請求項１４記載のネットワークデバイス。